(57)【要約】      （修正有）【課題】リモコン操作による動作指示をより正確に行うことができるリモコン装置を提供する。【解決手段】加速度センサが出力する加速度信号に基づきリモコン装置本体の移動量を導出し、傾斜センサが出力する傾斜角度に基づき該リモコン装置本体の傾斜量を導出する。前記移動量、又は、前記傾斜量に基づき、リモコン装置本体が所定量移動する、又は所定量傾斜するごとにバイブレータを振動させ、リモコン装置本体が所定量移動した、又は、所定量傾斜したことを使用者に通知する。【選択図】図１
2010283765.tif 000002
【特許請求の範囲】
【請求項１】
リモコン装置本体の移動内容及び移動量を検知する第１検知手段と、
前記移動内容に対応する動作指示信号を生成し、送信する第１送信手段、
前記移動量に基づき前記リモコン装置本体が所定量移動する毎に、使用者に対して通知する第１通知手段、
を備えることを特徴とするリモコン装置。
【請求項２】
前記第１送信手段は、リモコン装置本体が所定量移動する毎に実行されることを特徴とする請求項１記載のリモコン装置。
【請求項３】
リモコン装置本体の傾斜内容及び傾斜量を検知する第２検知手段と、
前記傾斜内容に対応する動作指示信号を生成し、送信する第２送信手段、
前記傾斜量に基づき前記リモコン装置本体が所定量傾斜する毎に、使用者に対して通知する第２通知手段
を備えることを特徴とするリモコン装置。
【請求項４】
前記第２送信手段は、前記リモコン装置本体が所定量傾斜する毎に実行されることを特徴とする請求項３記載のリモコン装置。
【発明の詳細な説明】
【技術分野】
【０００１】
本発明は、電子機器を遠隔操作するためのリモコン装置（remote controller）に関する。
【背景技術】
【０００２】
この種の装置の一例が、特許文献１に開示されている。この特許文献１によれば、使用者がリモコン装置の操作子を押下している状態で、該リモコン装置を移動させることで、リモコン装置の筐体内部に備えられている傾斜センサ及び加速度センサがリモコン装置の移動を検出する。前記傾斜センサ及び前記加速度センサによって検出されたリモコン装置の移動内容に応じた動作指示信号を生成し、該動作指示信号に応じた光信号波を送信する。また、例えば、リモコンの移動量が大きい場合は音量を大幅に増加させ、移動量が小さい場合には音量を細かく増加させるなど、リモコンの移動量に応じて、動作の変化量を可変させることができる。
【先行技術文献】
【特許文献】
【０００３】
【特許文献１】特開２００３−１１１１７１号公報
【発明の概要】
【発明が解決しようとする課題】
【０００４】
しかし、特許文献１にかかるリモコン装置によると、使用者は、自らが行ったリモコン装置の移動量がどの程度であるか分かりづらいという問題がある。そのため、使用者が所望する動作の変化量に合わせてリモコン装置を移動させるのが困難であり、何度もリモコン操作を行わなければならないというおそれがある。
【０００５】
本発明は、上記課題を鑑みてなされたものであり、リモコン操作による動作指示をより正確に行うことができるリモコン装置を提供することを目的とする。
【課題を解決するための手段】
【０００６】
本発明に係るリモコン装置は、リモコン装置本体の移動内容及び移動量、又は、傾斜内容及び傾斜量を検知する検知手段と、前記検知手段によって検知した内容に対応する動作指示信号を生成し、送信する送信手段、前記検知手段に基づきリモコン装置が所定量移動する、又は、所定量傾斜する毎に、使用者に対して通知を行う通知手段を備えることを特徴とする。
【発明の効果】
【０００７】
使用者は、リモコン装置の移動量を把握することができ、リモコン装置の操作性を向上させることができる。
【図面の簡単な説明】
【０００８】
【図１】リモコン装置１の概観斜視図である。
【図２】リモコン装置１の内部構成の概略を示すブロック図である。
【図３】リモコン装置１における筐体（リモコン装置１本体）の移動内容とそれに対応する指示動作の一例を示す図である。
【図４】リモコン装置１における筐体（リモコン装置１本体）の移動内容とそれに対応する指示動作の他の一例を示す図である。
【図５】本発明の実施例におけるリモコン装置１の動作を示すフローチャートである。
【図６】本発明の変形例におけるリモコン装置１の動作の一部を示すフローチャートである。
【図７】本発明の変形例におけるリモコン装置１の動作の他の一部を示すフローチャートである。
【発明を実施するための形態】
【実施例１】
【０００９】
（リモコン装置の構成）
まず、本発明の第１の実施例にかかるリモコン装置の構成を説明する。本実施例にかかるリモコン装置は、オーディオ機器を遠隔操作するためのものである。オーディオ機器は、複数のプレイリスト及び複数の音楽ＣＤ（Compact Disc）の内、いずれか一方または両方の管理を行うことができ、該プレイリスト（又は該音楽ＣＤ）に登録（記録）されている音楽データを再生することができる。プレイリストとは、複数の曲目を連続再生する場合に、該データファイルの再生順序を決定し、当該再生順序をリスト化したものである。プレイリストに登録された曲目は、再生順序に従い連続再生される。プレイリストは、作品やテーマ毎になど、使用者が自由に、且つ、複数のリストを作成できる。
【００１０】
使用者は、本リモコン装置を使用した遠隔操作により、再生する曲目の切り換え、音量の調節、プレイリスト並びに音楽ＣＤの変更などの動作指示信号をオーディオ機器に送信することで、当該オーディオ機器の動作変更を行うことが出来る。オーディオ機器は、リモコン装置から送信される動作指示信号を受信することで、受信した動作指示信号に対応する動作を行う。以下では、プレイリストに登録された曲目を再生する場合のリモコン操作及びオーディオ機器の動作について説明する。尚、本実施例におけるオーディオ機器の構成は、既に周知のものであるため、本明細書においては詳細な説明を割愛する。
【００１１】
図１は、本発明の一実施例に係るリモコン装置１の外観斜視図である。リモコン装置１は、略直方体型の筐体１０を備え、電源ボタン１２、操作子１４が同一の側面に配置されている。また、筐体１０の長手方向における一方の側端面には信号送信部１６を備えている。（以下、電源ボタン１２及び操作子１４が配置されている面を主面、主面に対向する面を背面と記載する。）
図２は、リモコン装置１の内部構成の概略を示すブロック図である。リモコン装置１の筐体１０は、筐体内に電源ボタン１２、操作子１４、信号送信部１６、加速度センサ１８、傾斜センサ２０、メモリ２２、バイブレータ２４、制御部２６を備えている。
【００１２】
操作子１４は、主面から突起するように設置されており、使用者が押下可能なようになっている。信号送信部１６は、図１に示すように筐体１０から露出している。加速度センサ１８及び傾斜センサ２０は、筐体１０の移動を検知するためのセンサである。加速度センサ１８は２軸加速度センサであり、後述するＸ軸方向及びＺ軸方向に対する筐体１０の加速度を検知し、加速度を示す信号（以下、加速度信号と記載する。）を制御部２６に出力する。傾斜センサ２０は筐体１０の傾斜角度を検知し、傾斜角度を示す信号（以下、傾斜信号と記載する。）を制御部２６に出力する。メモリ２２は、動作指示信号を生成するための信号生成用テーブルが記録されており、リモコン装置１の移動内容とオーディオ機器に送信するべき動作指示の内容とが対応付けられている。バイブレータ２４は、加速度センサ１８及び傾斜センサ２０から出力される加速度信号及び傾斜信号に基づき、筐体１０が所定量移動する又は傾斜する毎に使用者に対して通知を行う。バイブレータ２４は、２種類の振動パターンで振動することができ、筐体１０が移動した場合と該筐体が傾斜した場合とでそれぞれ異なる振動を行う。以下では説明の便宜上、筐体１０が所定量移動した場合の振動パターンを振動Ａ、筐体１０が所定量傾斜した場合の振動パターンを振動Ｂ、とする。制御部２６は、筐体１０内に備えられている各部との信号の授受を行うことでリモコン装置１の制御を行う。
【００１３】
電源ボタン１２が押下されると、オーディオ機器の電源がオン／オフされる。操作子１４が使用者によって押下されると、操作子１４が押下されたことを示す信号（以下、押下信号と記載する。）が制御部２６に継続的に出力される。加速度センサ１８及び傾斜センサ２０は、リモコン装置１の加速度及び傾斜角度を検知し、傾斜信号及び加速度信号をそれぞれ制御部２６に出力する。制御部２６は、加速度信号に基づき筐体１０の移動量を導出するとともに傾斜信号に基づき傾斜量を導出する。移動量は、操作子１４が押下された時点からの時間で積算され、加速度から移動速度を算出し、さらにその移動速度を積算することで求める。傾斜量は、操作子１４が押下された時点の筐体１０の傾斜角度と現時点での筐体１０の傾斜角度の差分から求める。移動量又は傾斜量が所定量に達すると、制御部２６はバイブレータ２４に振動命令を与える。バイブレータ２４は制御部２６から出力された振動命令に従い、筐体１０を振動させる。また、制御部２６は、メモリ２２に記録されている信号生成テーブルを参照し、加速度信号又は傾斜信号が示す移動内容に応じた動作指示信号を生成し、信号送信部１６を介してオーディオ機器に送信する。オーディオ機器は、リモコン装置１から送信された動作指示信号を受信し、動作指示信号に対応する動作を行う。動作指示信号の送信には、例えば、赤外線通信、Ｂｌｕｅｔｏｏｔｈ（登録商標）、Ｗｉ−Ｆｉ（登録商標）などの通信方式を用いる。尚、電源オン／オフ以外のリモコン装置１を使用した遠隔操作を行うことができるのは、オーディオ機器の電源がオンされた状態で、且つ、操作子１４の押下状態が維持されている間、即ち、押下信号が出力されている間のみである。
【００１４】
（リモコン装置１の操作）
図３及び図４は、本実施例におけるリモコン装置の移動内容と各移動内容に対応してオーディオ機器に送信される動作指示信号の内容を示している。尚、以下では当該図面に示すように、筐体１０の長手方向、即ち、信号送信部１６が配置された側端面とそれに対向する側端面に向かう方向の中心線をＹ軸と記載し、Ｙ軸と直交し、且つ、筐体１０の幅方向に向かう中心線をＸ軸と記載する。また、Ｘ軸及びＹ軸と直交し、且つ、主面方向及び背面方向に向かう中心線をＺ軸と記載する。また、各軸の矢印が向かう方向を正の方向、それに対向する方向を負の方向と記載する。
【００１５】
筐体１０をＸ軸に対して正の方向に移動させるという移動内容には、「曲目順送り」という内容の動作指示信号が対応付けられている。「曲目順送り」とは、オーディオ機器が再生するべき曲目をプレイリストの再生順序に従って、サイクリックに順次切り変えることを意味する。これに対して、筐体１０をＸ軸に対して負の方向に移動させるという移動内容には、「曲目逆送り」という内容の動作指示信号が対応付けられている。「曲目逆送り」とは、オーディオ機器が再生するべき曲目をプレイリストの再生順序の逆順でサイクリックに順次切り換えることを意味する。
【００１６】
「曲目順送り」、「曲目逆送り」は、リモコン装置１のＸ軸方向に対する移動量に応じて順送りまたは逆送りする曲目数を可変することが出来る。
【００１７】
筐体１０をＹ軸を中心としてａ方向（時計回り）に傾けるという移動内容には、「プレイリスト順送り」という動作指示信号が対応付けられている。「プレイリスト順送り」とは、オーディオ機器が再生するべきプレイリストをプレイリストが登録されている順番に1つずつサイクリックに順次切り変えることを意味する。これに対して、筐体１０をＹ軸を中心としてｂ方向（反時計回り）に傾けるという移動内容には、「プレイリスト逆送り」という動作指示信号が対応付けられている。「プレイリスト逆送り」とは、オーディオ機器が再生するべきプレイリストをプレイリストが登録されている順番とは逆順に1つずつサイクリックに順次切り変えることを意味する。プレイリストが変更されると、変更後のプレイリストに登録されている曲目を再生順序に従い順次再生する。プレイリストにはそれぞれプレイリスト名が付与されており、プレイリスト名に従いアルファベット順及び五十音順で登録されている。
【００１８】
「プレイリスト順送り」、「プレイリスト逆送り」は、リモコン装置１のＹ軸を中心とした傾斜量に応じて順送りまたは逆送りするプレイリストの数を可変することが出来る。
【００１９】
筐体１０をＺ軸に対して正の方向に移動させるという移動内容には、「音量増加」という動作指示信号が対応付けられている。これに対して、筐体１０をＺ軸に対して負の方向に移動させるという移動内容には「音量減少」という動作指示信号が対応付けられている。
【００２０】
「音量増加」、「音量減少」はリモコン装置１のＺ軸方向に対する移動量に応じて、増加または減少する音量を可変することが出来る。
【００２１】
（リモコン装置１の動作）
次に、本実施例におけるリモコン装置１の動作について説明する。使用者によって操作子１４が押下されると、押下信号が継続的に制御部２６に出力される。操作子１４を押下した状態を維持しつつ、リモコン装置１を移動させると傾斜センサ２０及び加速度センサ１８は、操作子１４が押下された時の筐体１０の姿勢を基準とし、該姿勢からの傾斜量及び加速度を検知し、傾斜信号及び加速度信号を制御部２６に出力する。制御部２６は、メモリ２２の信号生成テーブルを参照し、傾斜信号及び加速度信号が示す移動内容に対応した動作指示信号を生成し、当該動作指示信号を信号送信部１６から送信すると共に、バイブレータ２４に振動命令を出力する。バイブレータ２４はリモコン装置１を振動させて、動作指示信号が送信されたことを使用者にフィードバックする。尚、以下に記載する動作説明は、いずれも操作子１４の押下を維持した状態で行われているものとする。
【００２２】
＜Ａ：曲目変更時の動作＞
筐体１０が使用者の操作によってＸ軸方向に移動すると、加速度センサ１８は、該移動に伴う加速度を検知し、加速度信号を制御部２６に出力する。制御部２６は、加速度センサ１８から出力された加速度信号に基づきリモコン装置１のＸ軸方向に対する移動距離を導出する。
【００２３】
リモコン装置１は、加速度センサ１８から出力される加速度信号に基づき、筐体１０がＸ軸方向に対して、例えば、５ｃｍ移動する毎に使用者に通知を行う通知機能を備えている。即ち、制御部２６は、筐体１０が５ｃｍ移動する毎にバイブレータ２４に振動Ａで振動するよう命令を与え、バイブレータ２４は、該命令を受ける度に振動Ａで振動する。この結果、使用者にリモコン装置１がＸ軸方向に対して、５ｃｍ移動したことを通知することが出来る。
【００２４】
また、制御部２６は、筐体１０が５ｃｍ移動する毎に信号生成テーブルを参照し、加速度信号に基づく移動内容に対応した動作指示信号を生成し、送信する。即ち、移動の方向がＸ軸に対して正の方向であれば、曲目順送り、移動の方向がＸ軸に対して負の方向であれば、曲目逆送りの動作指示信号を生成し、信号送信部１６を介してオーディオ機器に送信する。
【００２５】
この結果、リモコン装置１から曲目順送り又は曲目逆送りの動作指示信号がオーディオ機器に送信され、オーディオ機器は受信した動作指示信号に従い、動作を行う。
【００２６】
また、使用者は筐体１０の移動距離をバイブレータ２４の振動により通知を受けることで、Ｘ軸方向の移動量を正確に把握することができ、当該移動量を調節することで順送り又は逆送りしたい曲目数を可変（例えば、再生する曲目を３曲順送りしたい場合は、３回振動するまでリモコン装置１をＸ軸に対して正の方向に移動させる、等。）させることが出来る。
【００２７】
＜Ｂ：プレイリスト変更時の動作＞
筐体１０が使用者の操作によってＹ軸を中心として傾けられると、傾斜センサ２０は、傾斜量を検知し、傾斜信号を制御部２６に出力する。制御部２６は、傾斜センサ２０から出力される傾斜信号に基づき、リモコン装置１の傾斜量を導出する。
【００２８】
リモコン装置１は、傾斜センサ２０から出力される傾斜信号に基づき、筐体１０が例えば、３０°傾斜する毎に使用者に通知を行う通知機能を備えている。即ち、制御部２６は、筐体１０が３０°傾斜する毎にバイブレータ２４に振動Ｂで振動するよう命令を与え、バイブレータ２４は、該命令を受ける度に振動Ｂで振動する。この結果、使用者にリモコン装置１が３０°傾斜したことを通知することが出来る。
【００２９】
また、制御部２６は筐体１０がＲ傾斜する毎に信号生成テーブルを参照し、傾斜信号に基づく移動内容に対応した動作指示信号を生成し、送信する。即ち、傾斜量の方向がＹ軸を中心としてａ方向（時計回り）であれば、プレイリスト順送り、傾斜量の方向がＹ軸に対してｂ方向（反時計回り）であれば、プレイリスト逆送りの動作指示信号を生成し、信号送信部１６を介してオーディオ機器に送信する。
【００３０】
この結果、リモコン装置１から曲目順送り又は曲目逆送りの動作指示信号がオーディオ機器に送信され、オーディオ機器は受信した動作指示信号に従い、動作を行う。
【００３１】
また、使用者はバイブレータ２４の振動により通知を受けることで、筐体１０の傾斜量を正確に把握することができ、当該傾斜量を調節することで順送り又は逆送りしたいプレイリストを可変（例えば、再生するプレイリストを３つ順送りしたい場合は、３回振動するまでリモコン装置１をＹ軸を中心としてａ方向に傾ける等）させることが出来る。
【００３２】
＜Ｃ：音量調節時の動作＞
筐体１０が使用者の操作によってＺ軸方向に移動すると、加速度センサ１８は、該移動に伴う加速度を検知し、加速度信号を制御部２６に出力する。制御部２６は、加速度センサ１８から出力された加速度信号に基づきリモコン装置１のＺ軸方向に対する移動距離を導出する。
【００３３】
リモコン装置１は、加速度センサ１８から出力される加速度信号に基づき、筐体１０が例えば、５ｃｍ移動する毎に使用者に通知を行う通知機能を備えている。即ち、制御部２６は、筐体１０が５ｃｍ移動する毎にバイブレータ２４に振動Ａで振動するよう命令を与え、バイブレータ２４は、該振動命令を受ける度に振動Ａで振動する。この結果、使用者にリモコン装置１の移動量を通知することが出来る。この結果、使用者にリモコン装置１がＺ軸方向に対して５ｃｍ移動したことを通知することが出来る。
【００３４】
また、制御部２６は、筐体１０が５ｃｍ移動する毎に信号生成テーブルを参照し、加速度信号に基づく移動内容に対応した動作指示信号を生成し、送信する。即ち、移動の方向がＺ軸に対して正の方向であれば、音量増加、移動の方向がＺ軸に対して負の方向であれば、音量減少の動作指示信号を生成し、信号送信部１６を介してオーディオ機器に送信する。
【００３５】
この結果、リモコン装置１から音量増加又は音量減少の動作指示信号がオーディオ機器に送信され、オーディオ機器は受信した動作指示信号に従い、動作を行う。
【００３６】
また、使用者はバイブレータ２４の振動により通知を受けることで、筐体１０のＺ軸方向への移動量を正確に把握することができ、当該移動量を調節することで増加又は減少させる音量を可変（例えば、音量を３段階増加させたい場合は、３回振動するまでリモコン装置１をＺ軸に対して正の方向に移動させる等）させることが出来る。
【００３７】
＜制御部２６の動作フローチャート＞
図５は、本実施例における制御部２６の動作を示すフローチャートである。
【００３８】
ステップＳ１００では、押下信号が出力されているか否かを判別する。制御部２６は操作子１４から押下信号が出力されているか否かを検知し、押下信号が出力されていれば押下信号を受信中であると判断する。押下信号を受信中である場合はステップＳ１０１に進み、そうでない場合はステップＳ１００を繰り返す。
【００３９】
ステップＳ１０１では、制御部２６は時間の積算を開始し、ステップＳ１０２では、制御部２６は筐体１０の移動に応じて加速度センサから出力される加速度信号及び筐体１０の傾斜に応じて傾斜センサ２０から出力される傾斜信号を受信する。
【００４０】
ステップＳ１０４では、制御部２６はステップＳ１０２で受信した加速度信号に基づき、筐体１０が所定量移動したか否かを判別する。筐体１０が所定量移動した場合はステップＳ１０６に進み、そうでない場合はステップＳ１１２に進む。
【００４１】
ステップＳ１０６では、制御部２６はバイブレータ２４に振動Ａでの振動命令を与える。バイブレータ２４は当該振動命令に従い振動Ａで振動し、使用者に通知を行う。
【００４２】
ステップＳ１０８では、制御部２６はメモリ２２に記録されている信号生成テーブルを参照して、加速度信号が示す移動内容に対応する動作指示信号を生成する。ステップＳ１１０では、ステップＳ１０８で生成した動作指示信号の送信命令を与える。制御部２６は、信号送信部１６に信号送信部１６に当該動作指示信号の送信命令を与える。信号送信部１６は、動作指示信号をオーディオ機器に送信する。
【００４３】
ステップＳ１１２では、制御部２６はステップＳ１０２で受信した傾斜信号に基づき、筐体１０が所定量傾斜したか否かを判別する。筐体１０が所定量傾斜した場合はステップＳ１１４に進み、そうでない場合はステップＳ１２０に進む。
【００４４】
ステップＳ１１４では、制御部２６はバイブレータ２４に振動Ｂでの振動命令を与える。バイブレータ２４は当該振動命令に従い振動Ｂで振動し、使用者に通知を行う。
【００４５】
ステップＳ１１６では、制御部２６はメモリ２２に記録されている信号生成テーブルを参照して、傾斜信号が示す傾斜内容に対応する動作指示信号を生成する。ステップＳ１１８では、ステップＳ１１６で生成した動作指示信号の送信命令を与える。制御部２６は、信号送信部１６に信号送信部１６に当該動作指示信号の送信命令を与える。信号送信部１６は、動作指示信号をオーディオ機器に送信する。
【００４６】
ステップＳ１２０では、押下信号の出力が停止したか否かを判別する。制御部２６は操作子１４から押下信号が出力されているか否かを検知し、押下信号が出力されていない場合は押下信号の出力が停止した判断する。押下信号の出力が停止した場合はリモコン操作を終了する。そうでない場合はステップＳ１０２に戻る。
【実施例２】
【００４７】
次に本発明における実施例１の変形例について説明する。上述した実施例１では、動作指示信号の生成及び送信は、筐体１０が所定量移動する、又は、所定量する毎に逐次行っていたが、本変形例では、筐体１０の移動、又は、傾斜が終了してから、当該移動内容及び移動量、又は、当該傾斜内容及び傾斜量に応じて動作指示信号を生成し、オーディオ機器に送信する。
【００４８】
例えば、筐体１０がＸ軸に対して正の方向に移動した場合、移動量が５ｃｍであれば曲目を１曲分順送りする動作指示信号を生成してオーディオ機器に送信し、移動量が１５ｃｍであれば曲目を３曲分順送りする動作指示信号を生成してオーディオ機器に送信する。
【００４９】
図６及び図７は、本変形例における制御部２６の動作を示すフローチャートである。
【００５０】
尚、本変形例におけるリモコン装置の構成は、図２に示すブロック図と共通である。したがって詳細な説明は割愛する。
ステップＳ２００では、押下信号が出力されているか否かを判別する。制御部２６は操作子１４から押下信号が出力されているか否かを検知し、押下信号が出力されていれば押下信号を受信中であると判断する。押下信号を受信中である場合はステップＳ２０２に進み、そうでない場合はステップＳ２００を繰り返す。
【００５１】
ステップＳ２０２では、筐体１０の移動が開始されたか否かを判別する。筐体１０が移動を開始したか否かは、例えば、制御部２６に出力される加速度信号が所定の閾値を上回ったか否かで判断し、当該加速度信号が所定の閾値を上回った場合に筐体１０の移動が開始されたと判断する。筐体１０が移動を開始した場合はステップＳ２０４に進み、そうでない場合はステップＳ２２０に進む。
【００５２】
ステップＳ２０４では、制御部２６はステップＳ２０２で受信した加速度信号に基づき、筐体１０が所定量移動したか否かを判別する。筐体１０が所定量移動した場合はステップＳ２０６に進み、そうでない場合はステップＳ２１８に進む。
ステップＳ２０６では、制御部２６はバイブレータ２４に振動Ａでの振動命令を与える。バイブレータ２４は当該振動命令に従い振動Ａで振動し、使用者に通知を行う。
【００５３】
ステップＳ２０８では、筐体１０の移動が終了したか否かを判別する。筐体１０の移動が終了したか否かは、例えば、制御部２６に出力される加速度信号が所定の閾値を下回ったか否かで判断し、当該加速度信号が所定の閾値を下回った場合に筐体１０の移動が終了したと判断する。筐体１０の移動が終了した場合はステップＳ２１０に進み、そうでない場合はステップＳ２１４に進む。
【００５４】
ステップＳ２１０では、移動内容及び移動量に基づき動作指示信号を生成する。制御部２６はメモリ２２に記録されている信号生成テーブルを参照すると共に筐体１０の移動量を参照し、対応する動作指示信号を生成する。ステップＳ２１２では、ステップＳ２１０で生成した動作指示信号の送信命令を与える。制御部２６は、信号送信部１６に信号送信部１６に当該動作指示信号の送信命令を与える。信号送信部１６は、動作指示信号をオーディオ機器に送信する。
【００５５】
ステップＳ２１４では、ステップＳ２０４と同一の処理動作を行い筐体１０が所定量移動したか否かを判別する。筐体１０が所定量移動した場合はステップＳ２１６に進み、そうでない場合はステップＳ２０８に戻る。ステップＳ２１６では、制御部２６はバイブレータ２４に振動Ａでの振動命令を与える。バイブレータ２４は当該振動命令に従い振動Ａで振動し、使用者に通知を行う。
【００５６】
ステップＳ２１８では、押下信号の出力が停止したか否かを判別する。制御部２６は操作子１４から押下信号が出力されているか否かを検知し、押下信号が出力されていない場合は押下信号の受信が終了した判断する。押下信号の受信が終了した場合はリモコン操作を終了する。そうでない場合はステップＳ２０２に戻る。
【００５７】
ステップＳ２２０では、筐体１０が傾斜を開始したか否かを判別する。制御部２６は、傾斜センサ２０から傾斜信号が出力されている場合は筐体１０が傾斜を開始したと判断する。筐体１０が傾斜を開始した場合はステップＳ２２２に進み、そうでない場合はステップＳ２１８に戻る。
【００５８】
ステップＳ２２２では、制御部２６は傾斜信号に基づき、筐体１０が所定量傾斜したか否かを判別する。筐体１０が所定量傾斜した場合はステップＳ２２４に進み、そうでない場合はステップＳ２１８に戻る。
【００５９】
ステップＳ２２４では、制御部２６はバイブレータ２４に振動Ｂでの振動命令を与える。バイブレータ２４は当該振動命令に従い振動Ｂで振動し、使用者に通知を行う。
【００６０】
ステップＳ２２６では、筐体１０の傾斜が終了したか否かを判別する。制御部２６は、傾斜センサ２０から傾斜信号が出力されていない場合は筐体１０の傾斜が終了したと判断する。筐体１０の傾斜が終了した場合はステップＳ２２８に進み、そうでない場合はステップＳ２３２に進む。
【００６１】
ステップＳ２２８では、傾斜内容及び傾斜量に基づき動作指示信号を生成する。制御部２６はメモリ２２に記録されている信号生成テーブルを参照すると共に筐体１０の傾斜量を参照し、対応する動作指示信号を生成する。ステップＳ２３０では、ステップＳ２２８で生成した動作指示信号の送信命令を与える。制御部２６は、信号送信部１６に信号送信部１６に当該動作指示信号の送信命令を与える。信号送信部１６は、動作指示信号をオーディオ機器に送信する。
【００６２】
ステップＳ２３２では、制御部２６は傾斜信号に基づき、筐体１０が所定量傾斜したか否かを判別する。筐体１０が所定量傾斜した場合はステップＳ２３４に進み、そうでない場合はステップＳ２２６に戻る。ステップＳ２３４では、制御部２６はバイブレータ２４に振動Ｂでの振動命令を与える。バイブレータ２４は当該振動命令に従い振動Ｂで振動し、使用者に通知を行う。
【００６３】
上述した実施例及び変形例では、リモコン装置１の操作子１４の押下を維持した状態である場合のみ動作指示信号の生成及び送信が可能である。しかし、操作子１４の押下を長時間維持し続けるのは使用者の負担となる場合も想定できるため、操作子１４を押下した状態を維持できるロック部材などを備えてもよい。
【００６４】
また、上述した実施例及び変形例では、筐体の移動及び害筐体の傾斜を検知するリモコン装置について説明したが、筐体の移動、又は、筐体の傾斜、どちらか一方のみを検知するリモコン装置であってもよい。
【００６５】
また、上述した実施例では、バイブレータ２４を振動させることで使用者に対して移動量の通知を行うが、振動以外の手法を用いて使用者にフィードバックを与えるようにしてもよい。振動以外の手法としては、例えば、リモコン装置１に音声発生部材を備え、音声を発生させる手法、操作子１４を押下している指にかかる圧力（抵抗感）を可変させる手法、リモコン装置１に発光部材を備え、該発光部材を点灯又は点滅させる手法、などがある。
【００６６】
また、上述した実施例を及び変形例では、筐体１０の移動に対してはバイブレータ２４を振動Ａで振動させ、筐体１０の傾斜に対してはバイブレータ２４を振動Ｂで振動させるようにしているが、筐体１０の移動については、Ｘ軸方向に対する移動とＺ軸方向に対する移動の２種類の移動があるため、Ｘ軸方向に対する移動とＺ軸方向に対する移動とでバイブレータの振動パターンをそれぞれ異なるようにしても良い。
【００６７】
また、リモコンの操作を行い、オーディオ機器に対して動作指示信号を送信した際に、当該動作指示信号に対応する動作が現段階では不可能な動作であった場合にエラー通知を行うようにしてもよい。その場合、オーディオ機器はエラー信号生成部及びエラー信号送信部を備え、リモコン装置１にはエラー信号を受信するエラー信号受信部を備えることで実現できる。
【００６８】
また、上述した実施例では、リモコン装置１の移動内容とそれに対応する動作指示信号の内容が予め対応付けられているが、使用者が移動内容とそれに対応する動作指示信号の内容を自由に変更可能なようにしてもよい。また、信号の生成、送信に要する所定の移動量及び傾斜量を自由に変更可能なようにしてもよい。
【００６９】
以上、本発明の一実施例について説明したが、本発明はこれらの実施形態に限定されず、その要旨の範囲内で変形及び変更が可能である。
【符号の説明】
【００７０】
１０      リモコン装置１の筐体
１２      電源ボタン
１４      操作子
１６      信号送信部
１８      傾斜センサ
２０      加速度センサ
２２      メモリ
２４      バイブレータ
２６      制御部
【図１】
2010283765.tif 000003
【図２】
2010283765.tif 000004
【図３】
2010283765.tif 000005
【図４】
2010283765.tif 000006
【図５】
2010283765.tif 000007
【図６】
2010283765.tif 000008
【図７】
2010283765.tif 000009